(57)【特許請求の範囲】
【請求項１】
ステータコアを構成すると共に前記ステータコアの周方向に分割された複数のコア構成部材と、
それぞれ前記コア構成部材に巻回された巻回部を複数有する複数の巻線と、
前記各コア構成部材に一体化され前記コア構成部材と前記巻回部とを絶縁する絶縁部を複数有すると共に、複数の前記絶縁部を連結する第一連結部を有する複数のインシュレータと、
前記第一連結部に対して前記ステータコアの軸方向に離間されると共に、前記複数のインシュレータの少なくともいずれかに形成され、該いずれかのインシュレータにおける前記複数の絶縁部を連結する第二連結部と、
を備えたステータ。
【請求項２】
前記第一連結部は、前記ステータコアの軸方向一方側に配置され、
前記第二連結部は、前記複数のインシュレータのうち、該複数のインシュレータが組付前の状態で前記ステータコアの軸方向に沿って整列された場合に最も前記ステータコアの軸方向他方側に位置するインシュレータに形成されている、
請求項１に記載のステータ。
【請求項３】
複数の前記第一連結部は、同軸上に配置されると共に、互いに異なる外径を有し、
前記第二連結部は、前記複数のインシュレータのうち、最も外径の小さな第一連結部を有するインシュレータに形成されている、
請求項１に記載のステータ。
【請求項４】
前記第二連結部は、前記巻回部よりも前記ステータコアの径方向内側に配置されている、
請求項１〜請求項３のいずれか一項に記載のステータ。
【請求項５】
複数の前記絶縁部は、前記コア構成部材と前記巻回部とを絶縁する絶縁本体部と、前記第一連結部から延出され前記第一連結部と前記絶縁本体部とを連結する延出部とを有し、
前記第二連結部は、前記いずれかのインシュレータにおける複数の前記延出部を連結している、
請求項４に記載のステータ。
【請求項６】
前記第二連結部は、前記延出部における基端部から延出端部の間に形成されている、
請求項５に記載のステータ。
【請求項７】
前記第二連結部は、前記複数のインシュレータのうちのいずれかのみに形成されている、
請求項１〜請求項６のいずれか一項に記載のステータ。
【請求項８】
前記複数のインシュレータは、互いに位置決めするための嵌合構造を有している、
請求項１〜請求項７のいずれか一項に記載のステータ。
【請求項９】
前記嵌合構造は、
前記第二連結部に形成された嵌合部と、
前記複数の絶縁部のうち、前記第二連結部によって連結された一対の絶縁部の間に位置される絶縁部に形成され、前記嵌合部と嵌合される被嵌合部と、
を有している、
請求項８に記載のステータ。
【請求項１０】
前記絶縁部は、前記ステータコアの軸方向に分割された第一絶縁部及び第二絶縁部を有し、
前記第一連結部は、各前記インシュレータにおける複数の前記第一絶縁部を連結し、
前記第二連結部は、前記いずれかのインシュレータにおける複数の前記第一絶縁部を連結している、
請求項１〜請求項９のいずれか一項に記載のステータ。
【請求項１１】
前記絶縁部は、前記ステータコアの軸方向に分割された第一絶縁部及び第二絶縁部を有し、
前記第一連結部は、各前記インシュレータにおける複数の前記第一絶縁部を連結し、
前記第二連結部は、前記いずれかのインシュレータにおける複数の前記第二絶縁部を連結している、
請求項１〜請求項９のいずれか一項に記載のステータ。
【請求項１２】
前記絶縁部は、前記ステータコアの軸方向に分割された第一絶縁部及び第二絶縁部を有し、
前記第一連結部は、各前記インシュレータにおける複数の前記第一絶縁部を連結し、
前記第二連結部は、前記いずれかのインシュレータにおける複数の前記第一絶縁部を連結し、
前記いずれかのインシュレータにおける複数の前記第二絶縁部は、第三連結部によって連結されている、
請求項１〜請求項９のいずれか一項に記載のステータ。
【発明の詳細な説明】
【技術分野】
【０００１】
本発明は、ステータに関する。
【背景技術】
【０００２】
従来、ステータコアと、このステータコアの軸方向両側からステータコアに装着される一対のインシュレータとを備えたステータがある（例えば、特許文献１参照）。
【先行技術文献】
【特許文献】
【０００３】
【特許文献１】特許第３８１６７８３号公報
【発明の概要】
【発明が解決しようとする課題】
【０００４】
この種のステータでは、組立後の剛性が確保されることが望まれる。
【０００５】
本発明は、上記課題に鑑みてなされたものであって、組立後の剛性を確保することができるステータを提供することを目的とする。
【課題を解決するための手段】
【０００６】
前記課題を解決するために、請求項１に記載のステータは、ステータコアを構成すると共に前記ステータコアの周方向に分割された複数のコア構成部材と、それぞれ前記コア構成部材に巻回された巻回部を複数有する複数の巻線と、前記各コア構成部材に一体化され前記コア構成部材と前記巻回部とを絶縁する絶縁部を複数有すると共に、複数の前記絶縁部を連結する第一連結部を有する複数のインシュレータと、前記第一連結部に対して前記ステータコアの軸方向に離間されると共に、前記複数のインシュレータの少なくともいずれかに形成され、該いずれかのインシュレータにおける前記複数の絶縁部を連結する第二連結部と、を備えている。
【０００７】
このステータによれば、複数のインシュレータの少なくともいずれかには、このいずれかのインシュレータにおける複数の絶縁部を連結する第二連結部が形成されている。従って、この第二連結部により複数の絶縁部間の剛性、ひいては、ステータ全体の組立後の剛性を確保することができる。
【０００８】
また、この第二連結部は、第一連結部に対してステータコアの軸方向に離間されている。従って、ステータの組立後の剛性をバランス良く確保することができる。
【０００９】
請求項２に記載のステータは、請求項１に記載のステータにおいて、前記第一連結部が、前記ステータコアの軸方向一方側に配置され、前記第二連結部が、前記複数のインシュレータのうち、該複数のインシュレータが組付前の状態で前記ステータコアの軸方向に沿って整列された場合に最も前記ステータコアの軸方向他方側に位置するインシュレータに形成された構成とされている。
【００１０】
このステータによれば、第二連結部は、複数のインシュレータのうち、該複数のインシュレータが組付前の状態でステータコアの軸方向に沿って整列された場合に最もステータコアの軸方向他方側に位置するインシュレータに形成されている。従って、複数のインシュレータをステータコアの軸方向に沿って組み付ける場合に、その他のインシュレータに形成された絶縁部が第二連結部と干渉することを回避することができる。
【００１１】
請求項３に記載のステータは、請求項１に記載のステータにおいて、複数の前記第一連結部が、同軸上に配置されると共に、互いに異なる外径を有し、前記第二連結部が、前記複数のインシュレータのうち、最も外径の小さな第一連結部を有するインシュレータに形成された構成とされている。
【００１２】
このステータによれば、第二連結部は、複数のインシュレータのうち、最も外径の小さな第一連結部を有するインシュレータに形成されている。従って、最も外径の小さな第一連結部を有するインシュレータに対し、その他のインシュレータをステータコアの軸方向一方側から組み付ける場合に、このその他のインシュレータに形成された絶縁部が第二連結部と干渉することを回避することができる。
【００１３】
請求項４に記載のステータは、請求項１〜請求項３のいずれか一項に記載のステータにおいて、前記第二連結部が、前記巻回部よりも前記ステータコアの径方向内側に配置された構成とされている。
【００１４】
このステータによれば、第二連結部は、巻回部よりもステータコアの径方向内側に配置されている。従って、例えば、フライヤを用いてコア構成部材に巻線を巻回する際に、フライヤが第二連結部と干渉することを回避することができる。
【００１５】
請求項５に記載のステータは、請求項４に記載のステータにおいて、複数の前記絶縁部が、前記コア構成部材と前記巻回部とを絶縁する絶縁本体部と、前記第一連結部から延出され前記第一連結部と前記絶縁本体部とを連結する延出部とを有し、前記第二連結部が、前記いずれかのインシュレータにおける複数の前記延出部を連結する構成とされている。
【００１６】
このステータによれば、第二連結部は、いずれかのインシュレータにおける複数の延出部を連結している。従って、各絶縁部が第一連結部から延出する延出部を有していても、複数の絶縁部間の剛性を確保することができる。
【００１７】
請求項６に記載のステータは、請求項５に記載のステータにおいて、前記第二連結部が、前記延出部における基端部から延出端部の間に形成された構成とされている。
【００１８】
このステータによれば、第二連結部は、延出部における基端部から延出端部の間に形成されている。従って、複数の絶縁部間の剛性を効果的に確保することができる。
【００１９】
請求項７に記載のステータは、請求項１〜請求項６のいずれか一項に記載のステータにおいて、前記第二連結部が、前記複数のインシュレータのうちのいずれかのみに形成された構成とされている。
【００２０】
このステータによれば、第二連結部は、複数のインシュレータのうちのいずれかのみに形成されている。従って、構造を簡素化することができる。
【００２１】
請求項８に記載のステータは、請求項１〜請求項７のいずれか一項に記載のステータにおいて、前記複数のインシュレータが、互いに位置決めするための嵌合構造を有する構成とされている。
【００２２】
このステータによれば、複数のインシュレータは、互いに位置決めするための嵌合構造を有している。従って、この嵌合構造により、複数のインシュレータを互いに位置決めすることができるので、ステータの組立を容易にすることができる。
【００２３】
請求項９に記載のステータは、請求項８に記載のステータにおいて、前記嵌合構造が、前記第二連結部に形成された嵌合部と、前記複数の絶縁部のうち、前記第二連結部によって連結された一対の絶縁部の間に位置される絶縁部に形成され、前記嵌合部と嵌合される被嵌合部と、を有する構成とされている。
【００２４】
このステータによれば、嵌合部が第二連結部に形成されると共に、被嵌合部が第二連結部によって連結された一対の絶縁部の間に位置される絶縁部に形成されているので、嵌合部と被嵌合部との嵌合を容易に行うことができる。
【００２５】
請求項１０に記載のステータは、請求項１〜請求項９のいずれか一項に記載のステータにおいて、前記絶縁部が、前記ステータコアの軸方向に分割された第一絶縁部及び第二絶縁部を有し、前記第一連結部が、各前記インシュレータにおける複数の前記第一絶縁部を連結し、前記第二連結部が、前記いずれかのインシュレータにおける複数の前記第一絶縁部を連結する構成とされている。
【００２６】
このステータによれば、複数のインシュレータの少なくともいずれかでは、複数の第一絶縁部が第一連結部に加え第二連結部によって連結されている。従って、この第二連結部により複数の第一絶縁部間の剛性、ひいては、ステータ全体の組立後の剛性を確保することができる。
【００２７】
請求項１１に記載のステータは、請求項１〜請求項９のいずれか一項に記載のステータにおいて、前記絶縁部が、前記ステータコアの軸方向に分割された第一絶縁部及び第二絶縁部を有し、前記第一連結部が、各前記インシュレータにおける複数の前記第一絶縁部を連結し、前記第二連結部が、前記いずれかのインシュレータにおける複数の前記第二絶縁部を連結する構成とされている。
【００２８】
このステータによれば、複数のインシュレータの少なくともいずれかでは、複数の第一絶縁部が第一連結部によって連結され、複数の第二絶縁部が第二連結部によって連結されている。従って、この第一連結部及び第二連結部により、複数の第一絶縁部間の剛性、及び、複数の第二絶縁部間の剛性をバランス良く向上させることができ、ひいては、ステータ全体の組立後の剛性を確保することができる。
【００２９】
請求項１２に記載のステータは、請求項１〜請求項９のいずれか一項に記載のステータにおいて、前記絶縁部が、前記ステータコアの軸方向に分割された第一絶縁部及び第二絶縁部を有し、前記第一連結部が、各前記インシュレータにおける複数の前記第一絶縁部を連結し、前記第二連結部が、前記いずれかのインシュレータにおける複数の前記第一絶縁部を連結し、前記いずれかのインシュレータにおける複数の前記第二絶縁部が、第三連結部によって連結された構成とされている。
【００３０】
このステータによれば、複数のインシュレータの少なくともいずれかでは、複数の第一絶縁部が第一連結部及び第二連結部によって連結され、複数の第二絶縁部が第三連結部によって連結されている。従って、この第一連結部、第二連結部、及び、第三連結部により、複数の第一絶縁部間の剛性、及び、複数の第二絶縁部間の剛性をより向上させることができ、ひいては、ステータ全体の組立後の剛性を向上させることができる。
【図面の簡単な説明】
【００３７】
【図１】本発明の第一実施形態に係るステータの斜視図である。
【図２Ａ】図１に示されるＵ相のステータ構成部材の分解斜視図である。
【図２Ｂ】図１に示されるＶ相のステータ構成部材の分解斜視図である。
【図２Ｃ】図１に示されるＷ相のステータ構成部材の分解斜視図である。
【図３】本発明の第一実施形態における嵌合構造を示す斜視図である。
【図４】図１に示される複数のステータ構成部材が互いに組み付けられる過程を示す斜視図である。
【図５】本発明の第一実施形態におけるインシュレータの変形例を示す斜視図である。
【図６】本発明の第一実施形態におけるインシュレータの変形例を示す斜視図である。
【図７】本発明の第一実施形態におけるインシュレータの変形例を示す斜視図である。
【図８】本発明の第二実施形態における嵌合構造を示す図である。
【図９】本発明の第二実施形態における嵌合構造の変形例を示す図である。
【図１０】本発明の第二実施形態における嵌合構造の変形例を示す図である。
【図１１】本発明の第二実施形態における嵌合構造の変形例を示す図である。
【図１２】本発明の第三実施形態における嵌合構造を示す図である。
【発明を実施するための形態】
【００３８】
［第一実施形態］
はじめに、本発明の第一実施形態について説明する。
【００３９】
図１に示される本発明の第一実施形態に係るステータ１０は、一例として、インナロータタイプのブラシレスモータに用いられるものであり、図２Ａ〜図２Ｃに示されるＵ相のステータ構成部材１２Ｕ、Ｖ相のステータ構成部材１２Ｖ、及び、Ｗ相のステータ構成部材１２Ｗを有して構成されている。
【００４０】
図１，図２Ａに示されるように、Ｕ相のステータ構成部材１２Ｕは、複数のコア構成部材１４Ｕと、巻線１６Ｕと、インシュレータ１８Ｕを有して構成されている。なお、図２Ａでは、巻線１６Ｕの図示が省略されている。
【００４１】
複数のコア構成部材１４Ｕは、後述するＶ相の複数のコア構成部材１４Ｖと、Ｗ相の複数のコア構成部材１４Ｗと共に環状のステータコア２０を構成している。各コア構成部材１４Ｕは、軸部２２Ｕと、傘部２４Ｕとを有している。軸部２２Ｕは、ステータコア２０の径方向に延びており、傘部２４Ｕは、軸部２２Ｕの先端部に形成されている。また、傘部２４Ｕは、後述するＶ相の複数の傘部２４Ｖと、Ｗ相の複数の傘部２４Ｗと共に環状の継鉄２６を構成するものであり、それぞれ円弧状に形成されている。
【００４２】
図１に示される巻線１６Ｕは、Ｕ相を構成しており、複数の巻回部２８Ｕと、複数の渡り線３０Ｕとを有している。複数の巻回部２８Ｕは、それぞれ後述する軸部絶縁部４２Ｕ，５２Ｕを介してコア構成部材１４Ｕの軸部２２Ｕに集中的に巻回されており、複数の渡り線３０Ｕによって互いに接続されている。渡り線３０Ｕは、後述するインシュレータ１８Ｕに形成された第一連結部３６Ｕの外周面に沿って配線されている（巻き付けられている）。また、巻線１６Ｕの両端側の端末部３２Ｕは、コア構成部材１４Ｕからステータコア２０の軸方向一方側（矢印Ｚ１側）に導出されている。
【００４３】
インシュレータ１８Ｕは、樹脂製とされており、図２Ａに示されるように、複数の絶縁部３４Ｕと、この複数の絶縁部３４Ｕを連結する第一連結部３６Ｕとを一体に有している。複数の絶縁部３４Ｕは、上述の複数のコア構成部材１４Ｕと同数設けられており、環状に等間隔に配列されている。各絶縁部３４Ｕは、ステータコア２０の軸方向に分割された第一絶縁部４０Ｕ及び第二絶縁部５０Ｕを有している。
【００４４】
第一絶縁部４０Ｕ及び第二絶縁部５０Ｕは、軸部絶縁部４２Ｕ，５２Ｕ、傘部絶縁部４４Ｕ，５４Ｕ、及び、延出側壁部４６Ｕ，５６Ｕをそれぞれ有している。この軸部絶縁部４２Ｕ，５２Ｕ、及び、傘部絶縁部４４Ｕ，５４Ｕは、コア構成部材１４Ｕと巻回部２８Ｕ（図１参照）とを絶縁する絶縁本体部６０Ｕを構成している。軸部絶縁部４２Ｕ，５２Ｕは、ステータコア２０の軸方向両側から軸部２２Ｕに装着されて、この軸部２２Ｕを覆う構成とされている。傘部絶縁部４４Ｕ，５４Ｕは、軸部絶縁部４２Ｕ，５２Ｕの先端部に形成されており、ステータコア２０の軸方向両側から傘部２４Ｕに装着されて、この傘部２４Ｕにおける外周面を除く部分を覆う構成とされている。
【００４５】
延出側壁部４６Ｕ，５６Ｕは、軸部絶縁部４２Ｕ，５２Ｕの基端部にそれぞれ形成されている。この延出側壁部４６Ｕ，５６Ｕは、ステータコア２０の径方向を板厚方向とすると共に、ステータコア２０の軸方向に延びる板状に形成されている。また、この延出側壁部４６Ｕ，５６Ｕは、ステータコア２０の周方向において上述の軸部絶縁部４２Ｕ，５２Ｕよりも幅広に形成されている。
【００４６】
この延出側壁部４６Ｕ，５６Ｕにおけるステータコア２０の周方向両側の側部には、ステータコア２０の軸方向に延びるガイド溝４８Ｕ，５８Ｕがそれぞれ形成されている。このガイド溝４８Ｕ，５８Ｕは、上述の端末部３２Ｕ（図１参照）をガイドするためのものである。
【００４７】
第一連結部３６Ｕは、ステータコア２０の軸方向一方側（矢印Ｚ１側）に配置されており、ステータコア２０の周方向に沿って延びる環状に形成されている。この第一連結部３６Ｕは、軸部絶縁部４２Ｕ，５２Ｕ（つまり、軸部２２Ｕに巻回される巻回部２８Ｕ）よりもステータコア２０の径方向内側に設けられている。この第一連結部３６Ｕからは、ステータコアの２０の軸方向他方側（矢印Ｚ２側）に向けて軸方向延出部４７Ｕが延出されており、この軸方向延出部４７Ｕの先端部は、延出側壁部４６Ｕにおける軸方向一方側の端部と接続されている。この軸方向延出部４７Ｕ、延出側壁部４６Ｕ、及び、延出側壁部５６Ｕは、絶縁部３４Ｕの一部である延出部６２Ｕを構成している。
【００４８】
また、上述の第一連結部３６Ｕの外周面における複数の絶縁部３４Ｕの間には、ステータコア２０の径方向外側に向けて突出する突起状の保持部６４Ｕがそれぞれ形成されている。この保持部６４Ｕは、上述の渡り線３０Ｕをステータコア２０の軸方向他方側（矢印Ｚ２側）から保持している（図１参照）。また、第一連結部３６Ｕにおける複数の延出部６２Ｕの間の部分は、ステータコア２０の軸方向他方側に開口する切欠き６６Ｕとして形成されている。
【００４９】
図１，図２Ｂに示されるＶ相のステータ構成部材１２Ｖは、上述のＵ相のステータ構成部材１２Ｕと基本的な構成は同一とされている。つまり、このＶ相のステータ構成部材１２Ｖは、複数のコア構成部材１４Ｖと、巻線１６Ｖと、インシュレータ１８Ｖを有して構成されている。なお、図２Ｂでは、巻線１６Ｖの図示が省略されている。
【００５０】
各コア構成部材１４Ｖは、上述のコア構成部材１４Ｕと同一の構成とされており、傘部２４Ｖと、軸部２２Ｖとを有している。
【００５１】
図１に示される巻線１６Ｖは、Ｖ相を構成しており、複数の巻回部２８Ｖと、複数の渡り線３０Ｖとを有している。複数の巻回部２８Ｖは、それぞれ後述する軸部絶縁部４２Ｖ，５２Ｖを介してコア構成部材１４Ｖの軸部２２Ｖに集中的に巻回されており、複数の渡り線３０Ｖによって互いに接続されている。渡り線３０Ｖは、後述するインシュレータ１８Ｖに形成された第一連結部３６Ｖの外周面に沿って配線されている（巻き付けられている）。また、巻線１６Ｖの両端側の端末部３２Ｖは、コア構成部材１４Ｖからステータコア２０の軸方向一方側（矢印Ｚ１側）に導出されている。
【００５２】
インシュレータ１８Ｖは、樹脂製とされており、図２Ｂに示されるように、複数の絶縁部３４Ｖと、この複数の絶縁部３４Ｖを連結する第一連結部３６Ｖとを一体に有している。複数の絶縁部３４Ｖは、上述の複数のコア構成部材１４Ｖと同数設けられており、環状に等間隔に配列されている。各絶縁部３４Ｖは、ステータコア２０の軸方向に分割された第一絶縁部４０Ｖ及び第二絶縁部５０Ｖを有している。
【００５３】
第一絶縁部４０Ｖ及び第二絶縁部５０Ｖは、軸部絶縁部４２Ｖ，５２Ｖ、傘部絶縁部４４Ｖ，５４Ｖ、及び、延出側壁部４６Ｖ，５６Ｖをそれぞれ有している。この軸部絶縁部４２Ｖ，５２Ｖ、及び、傘部絶縁部４４Ｖ，５４Ｖは、コア構成部材１４Ｖと巻回部２８Ｖ（図１参照）とを絶縁する絶縁本体部６０Ｖを構成している。この絶縁本体部６０Ｖ及び延出側壁部４６Ｖ，５６Ｖは、上述の絶縁本体部６０Ｕ及び延出側壁部４６Ｕ，５６Ｕと同一の構成とされている。
【００５４】
また、延出側壁部４６Ｖ，５６Ｖにおけるステータコア２０の周方向両側の側部には、ステータコア２０の軸方向に延びるガイド溝４８Ｖ，５８Ｖがそれぞれ形成されている。このガイド溝４８Ｖ，５８Ｖは、上述の端末部３２Ｖ（図１参照）をガイドするためのものである。
【００５５】
第一連結部３６Ｖは、ステータコア２０の軸方向一方側（矢印Ｚ１側）に配置されている。この第一連結部３６Ｖは、ステータコア２０の周方向に沿って延びると共にステータコア２０の軸方向を板厚方向とする円環板状に形成されている。また、この第一連結部３６Ｖは、軸部絶縁部４２Ｖ，５２Ｖ（つまり、軸部２２Ｖに巻回される巻回部２８Ｖ）よりもステータコア２０の径方向内側に設けられている。この第一連結部３６Ｖからは、ステータコアの２０の軸方向他方側（矢印Ｚ２側）に向けて軸方向延出部４７Ｖが延出されており、さらに、この軸方向延出部４７Ｖの先端部からは、ステータコア２０の径方向外側に向けて径方向延出部４９Ｖが延出されている。この径方向延出部４９Ｖの先端部は、延出側壁部４６Ｖにおける軸方向一方側の端部と接続されている。この軸方向延出部４７Ｖ、径方向延出部４９Ｖ、延出側壁部４６Ｖ、及び、延出側壁部５６Ｖは、絶縁部３４Ｖの一部である延出部６２Ｖを構成している。
【００５６】
また、上述の第一連結部３６Ｖの外周面における複数の絶縁部３４Ｖの間には、ステータコア２０の径方向外側に向けて突出する突起状の保持部６４Ｖがそれぞれ形成されている。この保持部６４Ｖは、上述の渡り線３０Ｖをステータコア２０の軸方向他方側（矢印Ｚ２側）から保持している（図１参照）。また、第一連結部３６Ｖにおける複数の延出部６２Ｖの間の部分には、ステータコア２０の軸方向他方側に開口する切欠き６６Ｖが形成されている。
【００５７】
図１，図２Ｃに示されるＷ相のステータ構成部材１２Ｗは、上述のＵ相のステータ構成部材１２Ｕ、及び、Ｖ相のステータ構成部材１２Ｖと基本的な構成は同一とされている。つまり、このＷ相のステータ構成部材１２Ｗは、複数のコア構成部材１４Ｗと、巻線１６Ｗと、インシュレータ１８Ｗを有して構成されている。なお、図２Ｃでは、巻線１６Ｗの図示が省略されている。
【００５８】
各コア構成部材１４Ｗは、上述のコア構成部材１４Ｕ，１４Ｖと同一の構成とされており、傘部２４Ｗと、軸部２２Ｗとを有している。
【００５９】
図１に示される巻線１６Ｗは、Ｗ相を構成しており、複数の巻回部２８Ｗと、複数の渡り線３０Ｗとを有している。複数の巻回部２８Ｗは、それぞれ後述する軸部絶縁部４２Ｗ，５２Ｗを介してコア構成部材１４Ｗの軸部２２Ｗに集中的に巻回されており、複数の渡り線３０Ｗによって互いに接続されている。渡り線３０Ｗは、後述するインシュレータ１８Ｗに形成された第一連結部３６Ｗの外周面に沿って配線されている（巻き付けられている）。また、巻線１６Ｗの両端側の端末部３２Ｗは、コア構成部材１４Ｗからステータコア２０の軸方向一方側（矢印Ｚ１側）に導出されている。
【００６０】
インシュレータ１８Ｗは、樹脂製とされており、図２Ｃに示されるように、複数の絶縁部３４Ｗと、この複数の絶縁部３４Ｗを連結する第一連結部３６Ｗとを一体に有している。複数の絶縁部３４Ｗは、上述の複数のコア構成部材１４Ｗと同数設けられており、環状に等間隔に配列されている。各絶縁部３４Ｗは、ステータコア２０の軸方向に分割された第一絶縁部４０Ｗ及び第二絶縁部５０Ｗを有している。
【００６１】
第一絶縁部４０Ｗ及び第二絶縁部５０Ｗは、軸部絶縁部４２Ｗ，５２Ｗ、傘部絶縁部４４Ｗ，５４Ｗ、及び、延出側壁部４６Ｗ，５６Ｗをそれぞれ有している。この軸部絶縁部４２Ｗ，５２Ｗ、及び、傘部絶縁部４４Ｗ，５４Ｗは、コア構成部材１４Ｗと巻回部２８Ｗ（図１参照）とを絶縁する絶縁本体部６０Ｗを構成している。この絶縁本体部６０Ｗ及び延出側壁部４６Ｗ，５６Ｗは、上述の絶縁本体部６０Ｕ及び延出側壁部４６Ｕ，５６Ｕと同一の構成とされている。
【００６２】
また、延出側壁部４６Ｗ，５６Ｗにおけるステータコア２０の周方向両側の側部には、ステータコア２０の軸方向に延びるガイド溝４８Ｗ，５８Ｗがそれぞれ形成されている。このガイド溝４８Ｗ，５８Ｗは、上述の端末部３２Ｗ（図１参照）をガイドするためのものである。
【００６３】
第一連結部３６Ｗは、ステータコア２０の軸方向一方側（矢印Ｚ１側）に配置されており、ステータコア２０の周方向に沿って延びる環状に形成されている。また、この第一連結部３６Ｗは、軸部絶縁部４２Ｗ，５２Ｗ（つまり、軸部２２Ｗに巻回される巻回部２８Ｗ）よりもステータコア２０の径方向内側に設けられている。この第一連結部３６Ｗからは、ステータコアの２０の径方向外側に向けて径方向延出部４９Ｗが延出されている。この径方向延出部４９Ｗの先端部は、延出側壁部４６Ｗにおける軸方向一方側の端部と接続されている。この径方向延出部４９Ｗ、延出側壁部４６Ｗ、及び、延出側壁部５６Ｗは、絶縁部３４Ｗの一部である延出部６２Ｗを構成している。
【００６４】
また、上述の第一連結部３６Ｗは、ステータコア２０の軸方向を板厚方向とする円環状の保持部６４Ｗと、この保持部６４Ｗにおける径方向内側の部位からステータコア２０の軸方向一方側に延出する環状のスペーサ６８Ｗとを有している。保持部６４Ｗは、上述の渡り線３０Ｗをステータコア２０の軸方向他方側（矢印Ｚ２側）から保持している（図１参照）。
【００６５】
さらに、図３に示されるように、ステータコア２０の軸方向一方側に位置される延出側壁部４６Ｗには、第二連結部３８Ｗが形成されている。この第二連結部３８Ｗは、ステータコア２０の周方向に沿って延びる円弧状に形成されており、隣り合う延出側壁部４６Ｗにおけるステータコア２０の軸方向他方側の端部を連結している。この第二連結部３８Ｗは、軸部絶縁部４２Ｗ，５２Ｗ（つまり、この軸部絶縁部４２Ｗ，５２Ｗを介して軸部２２Ｕに巻回される巻回部２８Ｕ）よりもステータコア２０の径方向内側に配置されている。
【００６６】
そして、図４に示される如く、ステータコア２０の軸方向一方側から他方側へ、ステータ構成部材１２Ｕ、ステータ構成部材１２Ｖ、ステータ構成部材１２Ｗ（インシュレータ１８Ｕ、インシュレータ１８Ｖ、インシュレータ１８Ｗ）の順に配置されて、この複数のステータ構成部材１２Ｕ，１２Ｖ，１２Ｗが互いに組み付けられる。また、このとき、複数のコア構成部材１４Ｕ，１４Ｖ，１４Ｗがステータコア２０の周方向に沿ってＵ相、Ｖ相、Ｗ相の順に並ぶように、複数のステータ構成部材１２Ｕ，１２Ｖ，１２Ｗが互いに組み付けられる。そして、図１に示される如く、この複数のステータ構成部材１２Ｕ，１２Ｖ，１２Ｗにより、ステータ１０が構成される。
【００６７】
また、このステータ１０では、複数のコア構成部材１４Ｕ，１４Ｖ，１４Ｗによって環状のステータコア２０が構成されており、複数の傘部２４Ｕ，２４Ｖ，２４Ｗによって環状の継鉄２６が形成されている。つまり、換言すれば、ステータコア２０は、周方向に複数のコア構成部材１４Ｕ，１４Ｖ，１４Ｗに分割されており、継鉄２６は、周方向に複数の傘部２４Ｕ，２４Ｖ，２４Ｗに分割されている。複数の傘部２４Ｕ，２４Ｖ，２４Ｗは、それぞれ両側に隣り合う一対の傘部の間に嵌合されている。
【００６８】
さらに、図３に示されるように、複数のインシュレータ１８Ｕ，１８Ｖ，１８Ｗは、互いに位置決めするための嵌合構造７０を有している。すなわち、第二連結部３８Ｗには、凹状の嵌合部７２が形成されている。一方、この第二連結部３８Ｗによって連結された一対の絶縁部３４Ｗの間に位置される絶縁部３８Ｕ，３８Ｖ（より具体的には、延出側壁部４６Ｕ，４６Ｖにおけるステータコア２０の軸方向他方側の端部）には、嵌合部７２と嵌合される凸状の被嵌合部７４が形成されている。そして、この嵌合構造７０を構成する嵌合部７２及び被嵌合部７４は、互いに嵌合されており、これにより、複数のインシュレータ１８Ｕ，１８Ｖ，１８Ｗは、互いに位置決めされて固定されている。
【００６９】
また、複数の第一連結部３６Ｕ，３６Ｖ，３６Ｗは、互いに同軸上に配置されると共に、ステータコア２０と同軸上に設けられている。この複数の第一連結部３６Ｕ，３６Ｖ，３６Ｗ及び上述の複数の延出部６２Ｕ，６２Ｖ，６２Ｗは、各絶縁本体部６０Ｕ，６０Ｖ，６０Ｗ（コア構成部材１４Ｕ，１４Ｖ，１４Ｗ）よりもステータコア２０の径方向内側に配置されている。
【００７０】
また、第一連結部３６Ｖの外径は、第一連結部３６Ｕの外径よりも小さく、第一連結部３６Ｗの外径は、第一連結部３６Ｖの外径よりも小さくなっている。そして、第一連結部３６Ｕは、第一連結部３６Ｖ，３６Ｗの径方向外側に配置されて、この第一連結部３６Ｖ，３６Ｗとの間に間隙を有している。一方、第一連結部３６Ｖは、第一連結部３６Ｗの径方向外側且つ軸方向一方側に配置されて、この第一連結部３６Ｗとの間に間隙を有している。
【００７１】
また、Ｖ相の保持部６４Ｖは、Ｕ相の第一連結部３６Ｕの内周面と嵌合されており、これにより、第一連結部３６Ｕ及び第一連結部３６Ｖは、互いに径方向に離間した状態で保持されている。つまり、保持部６４Ｖは、第一連結部３６Ｕ及び第一連結部３６Ｖの径方向間に設けられ、この第一連結部３６Ｕと第一連結部３６Ｖとを互いに径方向に離間した状態で保持するスペーサの役割も果たしている。一方、スペーサ６８Ｗは、Ｖ相の第一連結部３６Ｖにおける軸方向他方側（矢印Ｚ２側）の面と当接されており、これにより、第一連結部３６Ｖ及び第一連結部３６Ｗは、互いに軸方向に離間した状態で保持されている。
【００７２】
さらに、上述のように、複数の第一連結部３６Ｕ，３６Ｖ，３６Ｗが互い組み付けられた状態では、Ｖ相の渡り線３０Ｖは、Ｕ相の第一連結部３６Ｕに形成された切欠き６６Ｕの内側を通過している（切欠き６６Ｕに収容されている）。また、Ｗ相の渡り線３０Ｗは、Ｕ相，Ｖ相の第一連結部３６Ｕ，３６Ｖに形成された切欠き６６Ｕ，６６Ｖの内側を通過している（切欠き６６Ｕ，６６Ｖに収容されている）。この切欠き６６Ｕ，６６Ｖは、本発明における収容部の一例である。
【００７３】
次に、本発明の第一実施形態の作用及び効果について説明する。
【００７４】
以上詳述したように、本発明の第一実施形態に係るステータ１０によれば、図３に示されるように、インシュレータ１８Ｗでは、複数の絶縁部３４Ｗ（第一絶縁部４０Ｗ）が第一連結部３６Ｗに加え第二連結部３８Ｗによって連結されている。従って、この第二連結部３８Ｗにより複数の絶縁部３４Ｗ（第一絶縁部４０Ｗ）間の剛性、ひいては、複数の絶縁部３４Ｕ，３４Ｖ，３４Ｗの剛性を確保することができる。この結果、ステータ１０全体の組立後の剛性を確保することができる。
【００７５】
また、この第二連結部３８Ｗは、第一連結部３６Ｕ，３６Ｖ，３６Ｗに対してステータコア２０の軸方向に離間されている。従って、ステータ１０の組立後の剛性をバランス良く確保することができる。
【００７６】
また、第二連結部３８Ｗは、複数のインシュレータ１８Ｕ，１８Ｖ，１８Ｗのうち、該複数のインシュレータが組付前の状態でステータコア２０の軸方向に沿って整列された場合に最もステータコア２０の軸方向他方側に位置するインシュレータ１８Ｗに形成されている（図４参照）。従って、複数のインシュレータ１８Ｕ，１８Ｖ，１８Ｗをステータコア２０の軸方向に沿って組み付ける場合に、その他のインシュレータ１８Ｕ，１８Ｖに形成された絶縁部３４Ｕ，３４Ｖ（延出側壁部４６Ｕ，４６Ｖ）が第二連結部３８Ｗと干渉することを回避することができる。
【００７７】
また、インシュレータ１８Ｗでは、複数の第一絶縁部４０Ｗが第一連結部３６Ｗに加え第二連結部３８Ｗによって連結されている。従って、この第二連結部３８Ｗにより複数の第一絶縁部４０Ｗをコア構成部材１４Ｗに容易に組み付けることができると共に、組付後も安定して固定することができる。
【００７８】
また、第二連結部３８Ｗは、複数のインシュレータ１８Ｕ，１８Ｖ，１８Ｗのうち、最も外径の小さな第一連結部３６Ｗを有するインシュレータ１８Ｗに形成されている。従って、最も外径の小さな第一連結部３６Ｗを有するインシュレータ１８Ｗに対し、その他のインシュレータ１８Ｕ，１８Ｖをステータコア２０の軸方向一方側から組み付ける場合に、このその他のインシュレータ１８Ｕ，１８Ｖに形成された絶縁部３４Ｕ，３４Ｖ（延出側壁部４６Ｕ，４６Ｖ）が第二連結部３８Ｗと干渉することを回避することができる。
【００７９】
また、第二連結部３８Ｗは、軸部絶縁部４２Ｗ，５２Ｗ（つまり、この軸部絶縁部４２Ｗ，５２Ｗを介して軸部２２Ｕに巻回される巻回部２８Ｕ）よりもステータコアの径方向内側に配置されている。従って、例えば、フライヤを用いて軸部２２Ｕに巻線１６Ｗを巻回する際に、フライヤが第二連結部３８Ｗと干渉することを回避することができる。
【００８０】
また、第二連結部３８Ｗは、インシュレータ１８Ｗにおける複数の延出部６２Ｗ（延出側壁部４６Ｗ）を連結している。従って、各絶縁部３４Ｗが第一連結部３６Ｗから延出する延出部６２Ｗ（径方向延出部４９Ｗ、延出側壁部４６Ｗ，５６Ｗ）を有していても、複数の絶縁部３４Ｗ間の剛性、ひいては、複数の絶縁部３４Ｕ，３４Ｖ，３４Ｗの剛性を確保することができる。
【００８１】
特に、第二連結部３８Ｗは、延出側壁部４６Ｗの先端部に形成されている。従って、複数の絶縁部３４Ｕ，３４Ｖ，３４Ｗ間の剛性を効果的に確保することができる。
【００８２】
また、このステータ１０では、インシュレータ１８Ｗのみに第二連結部３８Ｗが形成されている。従って、構造を簡素化することができる。
【００８３】
また、複数のインシュレータ１８Ｕ，１８Ｖ，１８Ｗは、互いに位置決めするための嵌合構造７０を有している。従って、この嵌合構造７０により、複数のインシュレータ１８Ｕ，１８Ｖ，１８Ｗを互いに位置決めすることができるので、ステータ１０の組立を容易にすることができる。
【００８４】
特に、嵌合構造７０は、嵌合部７２及び被嵌合部７４を有しており、嵌合部７２は、第二連結部３８Ｗに形成され、被嵌合部７４は、第二連結部３８Ｗによって連結された一対の絶縁部３４Ｗの間に位置される絶縁部３４Ｕ，３４Ｖに形成されている。従って、嵌合部７２と被嵌合部７４との嵌合を容易に行うことができる。
【００８５】
次に、本発明の第一実施形態の変形例について説明する。
【００８６】
上記実施形態において、第二連結部３８Ｗは、延出側壁部４６Ｗにおけるステータコア２０の軸方向他方側の端部に形成されていたが、延出部６２Ｗにおける基端部から延出端部（すなわち、径方向延出部４９Ｗの基端部から延出側壁部５６Ｗにおけるステータコア２０の軸方向他方側の端部）の間に形成されていても良い。また、この場合には、図５に示されるように、第二連結部３８Ｗが、他の延出側壁部４６Ｕ，４６Ｖ，５６Ｕ，５６Ｖ等との干渉を回避するために、第一連結部３６Ｗの中心側へ退避した退避部３９Ｗを有していると好適である。
【００８７】
また、第二連結部３８Ｗは、複数の第一絶縁部４０Ｗ（延出側壁部４６Ｗにおけるステータコア２０の軸方向他方側の端部）を連結していたが、図６に示されるように、複数の第二絶縁部５０Ｗ（延出側壁部５６Ｗにおけるステータコア２０の軸方向他方側の端部）を連結していても良い。このように構成されていると、第一連結部３６Ｗ及び第二連結部３８Ｗにより、複数の第一絶縁部４０Ｗ間の剛性、及び、複数の第二絶縁部５０Ｗ間の剛性をバランス良く向上させることができ、ひいては、ステータ１０全体の組立後の剛性を確保することができる。
【００８８】
また、図６に示される変形例では、複数の第二絶縁部５０Ｗが第二連結部３８Ｗによって連結されている。従って、この第二連結部３８Ｗにより複数の第二絶縁部５０Ｗをコア構成部材１４Ｗに容易に組み付けることができると共に、組付後も安定して固定することができる。
【００８９】
また、複数の第二絶縁部５０Ｗが第二連結部３８Ｗによって連結される場合には、第二連結部３８Ｗに嵌合部７２が形成されても良い。なお、この場合には、図３に示される被嵌合部７４は、延出側壁部５６Ｕ，５６Ｖにおけるステータコア２０の軸方向他方側の端部に形成される。このように構成されていると、第一絶縁部４０Ｕ，４０Ｖ，４０Ｗと第二絶縁部５０Ｕ，５０Ｖ，５０Ｗとが組付時に互いに位置決めされるので、組付性が向上すると共に、第一絶縁部４０Ｕ，４０Ｖ，４０Ｗと第二絶縁部５０Ｕ，５０Ｖ，５０Ｗとを安定して固定することができる。
【００９０】
なお、複数の第二絶縁部５０Ｗが第二連結部３８Ｗによって連結される場合に、第二連結部３８Ｗから嵌合部７２が省かれても良い。このように構成されていても、複数の第一絶縁部４０Ｗが第一連結部３６Ｗに加え第二連結部３８Ｗによって連結されているので、この第二連結部３８Ｗにより複数の第一絶縁部４０Ｗをコア構成部材１４Ｗに容易に組み付けることができると共に、組付後も安定して固定することができる。
【００９１】
また、図７に示されるように、複数の第一絶縁部４０Ｗ（延出側壁部４６Ｗにおけるステータコア２０の軸方向一方側の端部及び他方側の端部）が、第一連結部３６Ｗ及び第二連結部３８Ｗによって連結され、複数の第二絶縁部５０Ｗ（延出側壁部５６Ｗにおけるステータコア２０の軸方向他方側の端部）が、第三連結部７８Ｗによって連結されていても良い。このように構成されていると、この第一連結部３６Ｗ、第二連結部３８Ｗ、及び、第三連結部７８Ｗにより、複数の第一絶縁部４０Ｗ間の剛性、及び、複数の第二絶縁部５０Ｗ間の剛性をより向上させることができ、ひいては、ステータ１０全体の組立後の剛性を向上させることができる。
【００９２】
また、複数の第二絶縁部５０Ｗが第三連結部７８Ｗによって連結される場合には、第三連結部７８Ｗに嵌合部７２が形成されても良い。なお、この場合には、図３に示される被嵌合部７４は、延出側壁部５６Ｕ，５６Ｖにおけるステータコア２０の軸方向他方側の端部に形成される。このように構成されていても、第一絶縁部４０Ｕ，４０Ｖ，４０Ｗと第二絶縁部５０Ｕ，５０Ｖ，５０Ｗとが組付時に互いに位置決めされるので、組付性が向上すると共に、第一絶縁部４０Ｕ，４０Ｖ，４０Ｗと第二絶縁部５０Ｕ，５０Ｖ，５０Ｗとを安定して固定することができる。
【００９３】
また、第二連結部３８Ｗは、インシュレータ１８Ｗのみに形成されていたが、その他のインシュレータ１８Ｕ，１８Ｖ、若しくは、全てのインシュレータ１８Ｕ，１８Ｖ，１８Ｗに形成されても良い。同様に、第三連結部７８Ｗも、その他のインシュレータ１８Ｕ，１８Ｖ、若しくは、全てのインシュレータ１８Ｕ，１８Ｖ，１８Ｗに形成されても良い。
【００９４】
また、第一連結部３６Ｕと第一連結部３６Ｖ，３６Ｗとは、ステータコア２０の径方向に間隙を有して配置され、第一連結部３６Ｖと第一連結部３６Ｗとは、ステータコア２０の径方向且つ軸方向に間隙を有して配置されていたが、これら複数の第一連結部３６Ｕ，３６Ｖ，３６Ｗは、ステータコア２０の径方向及び軸方向のいずれか一方向、又は、それらを組み合わせた方向に間隙を有して配置されても良い。
【００９５】
また、嵌合部７２は、凹状に形成され、被嵌合部７４は、凸状に形成されていたが、嵌合部７２は、凸状に形成され、被嵌合部７４は、凹状に形成されていても良い。
【００９６】
また、ステータ１０は、インナロータタイプのブラシレスモータ用とされていたが、アウタロータタイプのブラシレスモータ用とされていても良い。
【００９７】
また、ステータ１０は、複数のグループの一例として複数の相毎に構成されたステータ構成部材１２Ｕ，１２Ｖ，１２Ｗに分割されていたが、複数の相が混在するグループ毎に構成された複数のステータ構成部材に分割されていても良い。
【００９８】
また、上記以外にも、各グループを構成するステータ構成部材は、その他の組み合わせからなる複数相のティースを有していても良い。
【００９９】
なお、本実施形態に係るステータ１０が適用されるブラシレスモータは、一例として、８極１２スロットとされるが、磁極の数及びスロットの数は、その他の組み合わせとされていても良い。
【０１００】
また、複数の巻線１６の結線方法は、直列及び並列ともに、スター結線、デルタ結線とされていても良い。
【０１０１】
また、上記複数の変形例は、適宜組み合わされても良い。
【０１０２】
［第二実施形態］
次に、本発明の第二実施形態について説明する。
この第二実施形態は、参考例である。
【０１０３】
なお、以降の説明において、各部材及び各部について、Ｕ相、Ｖ相、Ｗ相の区別をしない場合には、便宜上、符合の末尾からＵ，Ｖ，Ｗの記載を省略する。
【０１０４】
図８に示される本発明の第二実施形態では、上述の本発明の第一実施形態に対し、嵌合構造７０の構成が次の如く変更されている。
【０１０５】
すなわち、隣り合う傘部絶縁部５４の一方には、嵌合部７２が形成されており、この嵌合部７２には、嵌合突起７３が形成されている。一方、隣り合う傘部絶縁部５４の他方には、凹状の被嵌合部７４が形成されている。そして、嵌合部７２及び被嵌合部７４が互いに嵌合されることにより、複数のうちの一のインシュレータ１８における絶縁部３４同士が固定されている。
【０１０６】
このように構成されていても、嵌合構造７０によって複数の絶縁部３４同士が固定されることにより、複数の絶縁部３４間の剛性、ひいては、ステータ１０全体の組立後の剛性を確保することができる。
【０１０７】
また、嵌合部７２が隣り合う傘部絶縁部５４の一方に形成されると共に、被嵌合部７４が隣り合う傘部絶縁部５４の他方に形成されているので、嵌合部７２と被嵌合部７４との嵌合を容易に行うことができる。
【０１０８】
なお、図９に示されるように、嵌合部７２は、隣り合う傘部絶縁部５４の一方に凹状に形成され、被嵌合部７４は、隣り合う傘部絶縁部５４の他方に凸状に形成されていても良い。
【０１０９】
また、図１０，図１１に示されるように、絶縁部３４は、ステータ１０の軸方向他方側（矢印Ｚ２側）に向かうに従って互いに近づくように傾斜されていても良い。このように構成されていると、ステータ１０の周方向に隣り合ういずれか一対の絶縁部３４間の隙間がステータ１０の軸方向他方側（矢印Ｚ２側）に向かうに従って徐々に狭まるので、ステータ１０の組立後に複数の傘部２４（継鉄構成部）が互いに密着する。これにより、傘部２４をガタつき無く組み付けることができると共に、傘部２４により形成された磁気回路をより効率良く形成することができる。
【０１１０】
［第三実施形態］
次に、本発明の第三実施形態について説明する。
この第三実施形態は、参考例である。
【０１１１】
図１２に示される本発明の第三実施形態では、上述の本発明の第一実施形態に対し、嵌合構造７０の構成が次の如く変更されている。
【０１１２】
すなわち、第一連結部３６Ｕには、径方向内側に延出する嵌合部７２Ｕが形成されている。この嵌合部７２Ｕの先端部には、嵌合突起７３Ｕが形成されている。一方、第一連結部３６Ｖには、凹状の被嵌合部７４Ｖが形成されている。
【０１１３】
また、第一連結部３６Ｖには、径方向内側に延出する嵌合部７２Ｖが形成されている。この嵌合部７２Ｖの先端部には、嵌合突起７３Ｖが形成されている。一方、第一連結部に３６Ｗには、凹状の被嵌合部７４Ｗが形成されている。そして、嵌合部７２Ｕ及び被嵌合部７４Ｖが互いに嵌合されると共に、嵌合部７２Ｖ及び被嵌合部７４Ｗが互いに嵌合されることにより、連結部としての第一連結部３６Ｕ，３６Ｖ，３６Ｗ同士が固定されている。
【０１１４】
このように構成されていても、嵌合構造７０によって複数の第一連結部３６Ｕ，３６Ｖ，３６Ｗ同士が固定されることにより、複数の第一連結部３６Ｕ，３６Ｖ，３６Ｗ間の剛性、ひいては、ステータ全体の組立後の剛性を確保することができる。
【０１１５】
また、嵌合部７２Ｕ及び被嵌合部７４Ｖが第一連結部３６Ｕ，３６Ｖにそれぞれ形成されているので、嵌合部７２Ｕと被嵌合部７４Ｖとの嵌合を容易に行うことができる。また、嵌合部７２Ｖ及び被嵌合部７４Ｗが第一連結部３６Ｖ，３６Ｗにそれぞれ形成されているので、嵌合部７２Ｖと被嵌合部７４Ｗとの嵌合を容易に行うことができる。
【０１１６】
なお、嵌合部７２Ｕ，７２Ｖは、凹状に形成さ、被嵌合部７４Ｖ，７４Ｗは、凸状に形成されていても良い。
【０１１７】
以上、本発明の一態様について説明したが、本発明は、上記に限定されるものでなく、上記以外にも、その主旨を逸脱しない範囲内において種々変形して実施可能であることは勿論である。
【符号の説明】
【０１１８】
１０…ステータ、１２Ｕ，１２Ｖ，１２Ｗ…ステータ構成部材、１４Ｕ，１４Ｖ，１４Ｗ…コア構成部材、１６Ｕ，１６Ｖ，１６Ｗ…巻線、１８Ｕ，１８Ｖ，１８Ｗ…インシュレータ、２０…ステータコア、２２Ｕ，２２Ｖ，２２Ｗ…軸部、２４Ｕ，２４Ｖ，２４Ｗ…傘部、２６…継鉄、２８Ｕ，２８Ｖ，２８Ｗ…巻回部、３０Ｕ，３０Ｖ，３０Ｗ…渡り線、３２Ｕ，３２Ｖ，３２Ｗ…端末部、３４Ｕ，３４Ｖ，３４Ｗ…絶縁部、３６Ｕ，３６Ｖ，３６Ｗ…第一連結部、３８Ｗ…第二連結部、３９Ｗ…退避部、４０Ｕ，４０Ｖ，４０Ｗ…第一絶縁部、４２Ｕ，４２Ｖ，４２Ｗ，５２Ｕ，５２Ｖ，５２Ｗ…軸部絶縁部、４４Ｕ，４４Ｖ，４４Ｗ，５４，５４Ｕ，５４Ｖ，５４Ｗ…傘部絶縁部、４６Ｕ，４６Ｖ，４６Ｗ，５６Ｕ，５６Ｖ，５６Ｗ…延出側壁部、４７Ｖ…軸方向延出部、４８Ｕ，４８Ｖ，４８Ｗ，５８Ｕ，５８Ｖ，５８Ｗ…ガイド溝、４９Ｖ…径方向延出部、４９Ｗ…径方向延出部、４９Ｕ…軸方向延出部、５０Ｕ，５０Ｖ，５０Ｗ…第二絶縁部、６０Ｕ，６０Ｖ，６０Ｗ…絶縁本体部、６２Ｕ，６２Ｖ，６２Ｗ…延出部、６４Ｕ，６４Ｖ，６４Ｗ…保持部、６８Ｗ…スペーサ、７０…嵌合構造、７２，７２Ｕ，７２Ｖ…嵌合部、７３，７３Ｕ，７３Ｖ…嵌合突起、７４，７４Ｖ，７４Ｗ…被嵌合部、７８Ｗ…第三連結部
【図１】
0005921309.tif 000002
【図２Ａ】
0005921309.tif 000003
【図２Ｂ】
0005921309.tif 000004
【図２Ｃ】
0005921309.tif 000005
【図３】
0005921309.tif 000006
【図４】
0005921309.tif 000007
【図５】
0005921309.tif 000008
【図６】
0005921309.tif 000009
【図７】
0005921309.tif 000010
【図８】
0005921309.tif 000011
【図９】
0005921309.tif 000012
【図１０】
0005921309.tif 000013
【図１１】
0005921309.tif 000014
【図１２】
0005921309.tif 000015